(57)【要約】【課題】海岸河岸既存施設と残置型枠ブロックとを接続する際に、これらを確実に接続することができる残置型枠ブロック用接続金具を提供する。【解決手段】軸部材１３と、軸部材１３の両側に軸方向に移動自在かつ旋回自在に取り付けた第一部材１４と第二部材１５を有する伸縮自在なターンバックル１０と、ターンバックル１０の第一部材１４に回転自在に取り付けた回転部材２５を有し、回転部材２５に岸壁に取り付けられるアンカー鉄筋２４を取り付けた第一回転体１１と、ターンバックル１０の第二部材１５に回転自在に取り付けた回転部材３４を有し、回転部材３４に残置型枠ブロックに付けられる連結鉄筋３３を取り付けた第二回転体１２と、を有し、第一回転体１１及び第二回転体１２をターンバックル１０に調整された回転位置で固定する残置型枠ブロック用接続金具。【選択図】図１
2019049120.tif 000002
【特許請求の範囲】
【請求項１】
海岸や河岸に構築した海岸河岸既存施設と残置型枠ブロックとを所定の間隔を空けて接続する残置型枠ブロック用接続金具であって、
軸部材と、軸部材の両側に軸方向に移動自在かつ旋回自在に取り付けた第一部材と第二部材を有する伸縮自在な接続部材と、
接続部材の第一部材に回転自在に取り付けた回転部材を有し、回転部材に海岸河岸既存施設に取り付けられるアンカー鉄筋を取り付けた第一回転体と、
接続部材の第二部材に回転自在に取り付けた回転部材を有し、回転部材に残置型枠ブロックに取り付けられる連結鉄筋を取り付けた第二回転体と、を有し、
第一回転体及び第二回転体を接続部材に調整された回転位置で固定することを特徴とする残置型枠ブロック用接続金具。
【請求項２】
請求項１に記載された残置型枠ブロック用接続金具において、
接続部材は、ターンバックルであることを特徴とする残置型枠ブロック用接続金具。
【請求項３】
請求項１又は２に記載された残置型枠ブロック用接続金具において、
接続部材の軸部材は、軸方向中央部の一方側及び他方側にそれぞれ逆向きのネジを備えたネジ棒であり、軸部材の一方側に第一部材を螺合するとともに、軸部材の他方側に第二部材を螺合することを特徴とする残置型枠ブロック用接続金具。
【請求項４】
請求項１ないし３のいずれかに記載された残置型枠ブロック用接続金具において、
第一回転体は、アンカー鉄筋の一端側にネジが形成され、ネジが回転部材に螺合して取り付けられていることを特徴とする残置型枠ブロック用接続金具。
【請求項５】
請求項１ないし４のいずれかに記載された残置型枠ブロック用接続金具において、
第一回転体及び第二回転体の接続部材への調整された回転位置での固定は、ボルトとナットの締結手段を用いることを特徴とする残置型枠ブロック用接続金具。
【請求項６】
請求項１ないし５のいずれかに記載された残置型枠ブロック用接続金具において、
接続部材の軸部材に回転用レバーが取り付けられていることを特徴とする残置型枠ブロック用接続金具。
【発明の詳細な説明】
【技術分野】
【０００１】
本発明は、海岸や河岸に構築した既存の護岸や岸壁などの海岸河岸既存施設と残置型枠ブロックとを、所定の間隔を空けて接続する残置型枠ブロック用接続金具に関する。
【背景技術】
【０００２】
海岸河岸既存施設、例えば海岸に構築したコンクリート製の岸壁は、経年劣化や自然災害などにより破損することがある。そのため、破損した岸壁を補修する作業を行わなくてはならない。岸壁の補修は、破損した岸壁を撤去し、撤去した後に新たにコンクリートを打設して岸壁を構築している。
【０００３】
ところが、この補修は、破損した岸壁の撤去、撤去したコンクリートなどの瓦礫の処分、さらには水中において新たにコンクリートを打設して岸壁を構築しなければならず、それらの作業に手間やコストが掛かり、工期も長くなるという問題がある。
【０００４】
そこで、従来、岸壁を補修する場合、破損した岸壁を撤去することなく、コンクリート製の残置型枠ブロックを破損した岸壁の前方（陸側からみて前方）に積み上げて、新たな岸壁を構築することで、破損した岸壁の撤去やコンクリートなどの瓦礫の処分をなくして作業を容易にし、工期の短縮を図るようにしている。
【０００５】
図９、図１０は、従来の岸壁の補修の作業工程を示す説明図である。
岸壁の補修は、陸上からクレーンなどにより残置型枠ブロック３を吊り上げて、図９Ａに示すように、吊り上げた残置型枠ブロック３を水中へと投入し、破損した岸壁２の前方に所定の間隔を空けて設置する。残置型枠ブロック３を設置した後、図９Ｂに示すように、岸壁２に取り付けたアンカー鉄筋５１と残置型枠ブロック３に取り付けた連結鉄筋５２とを溶接して接合する。
【０００６】
次に、設置した一段目の残置型枠ブロック３の上に、二段目の残置型枠ブロック３を設置し、一段目と同様、岸壁２側のアンカー鉄筋５１と残置型枠ブロック３側の連結鉄筋５２とを溶接して接合する。図９Ｃに示すように、残置型枠ブロック３の設置を上方に複数段にわたって行うことで、残置型枠ブロック３を岸壁２の前方に積み上げ、図１０Ａに示すように、最上段まで積み上げる。
【０００７】
残置型枠ブロック３を最上段まで積み上げた後、次に、図１０Ｂに示すように、岸壁２と残置型枠ブロック３との間に水中コンクリート５３を打設する。最上段の残置型枠ブロック３まで水中コンクリート５３を打設した後、図１０Ｃに示すように、岸壁２の上部工５４を構築することで、新たな岸壁が完成する。
【０００８】
ところで、岸壁の補修は、岸壁２とその前方に設置する残置型枠ブロック３とを接続するため、岸壁２に取り付けたアンカー鉄筋５１と残置型枠ブロック３に取り付けた連結鉄筋５２とを溶接して接合しているが、岸壁２と残置型枠ブロック３との接続が非常に面倒な作業となる虞がある。
【０００９】
即ち、岸壁２とその前方に設置する残置型枠ブロック３とにおいて、施工誤差による位置ズレが発生する場合があり、この位置ズレが大きいと、岸壁２側のアンカー鉄筋５１と残置型枠ブロック３側の連結鉄筋５２とを溶接することができなくなる。そのため、岸壁２と残置型枠ブロック３とを接続することができないという問題が生じる。また、アンカー鉄筋５１と連結鉄筋５２との溶接は、水中で行うことから、その作業性が悪く、溶接作業に多大な時間を要してしまう。しかも、水中での溶接作業は熟練を要するため、熟練度の低い作業員であると、全体の作業に支障をきたす虞もでてくる。
【発明の概要】
【発明が解決しようとする課題】
【００１０】
本発明は、このような問題に鑑みてなされたものであって、その目的は、海岸河岸既存施設である岸壁とその前方に設置する残置型枠ブロックとを接続する際に、施工誤差による位置ズレが発生した場合でも、これらを確実に接続することができ、かつその作業を極めて容易に行うことができる残置型枠ブロック用接続金具を提供することである。
【課題を解決するための手段】
【００１１】
本発明は、軸部材と、軸部材の両側に軸方向に移動自在かつ旋回自在に取り付けた第一部材と第二部材を有する伸縮自在な接続部材と、接続部材の第一部材に回転自在に取り付けた回転部材を有し、回転部材に海岸河岸既存施設に取り付けられるアンカー鉄筋を取り付けた第一回転体と、接続部材の第二部材に回転自在に取り付けた回転部材を有し、回転部材に残置型枠ブロックに取り付けられる連結鉄筋を取り付けた第二回転体と、を有し、第一回転体及び第二回転体を接続部材に調整された回転位置で固定する残置型枠ブロック用接続金具である。
【発明の効果】
【００１２】
本発明によれば、海岸河岸既存施設の補修において、海岸河岸既存施設とその前方に設置した残置型枠ブロックとを接続する際に、海岸河岸既存施設と残置型枠ブロックにおいて施工誤差による位置ズレが発生しても、残置型枠ブロック用接続金具での調整を行うことで、残置型枠ブロック用接続金具により、海岸河岸既存施設と残置型枠ブロックを確実に接続することができる。
また、残置型枠ブロック用接続金具を用いた海岸河岸既存施設と残置型枠ブロックとの接続は、残置型枠ブロック用接続金具での調整と、接続部材に第一回転体及び第二回転体を調整された回転位置で固定するだけの簡単な作業で行うことができ、作業性の向上を図ることができる。
【図面の簡単な説明】
【００１３】
【図１】本発明の残置型枠ブロック用接続金具の斜視図である。
【図２】残置型枠ブロック用接続金具のターンバックルの斜視図である。
【図３】残置型枠ブロック用接続金具の第一回転体の斜視図である。
【図４】残置型枠ブロック用接続金具の第二回転体の斜視図である。
【図５】図５Ａは、残置型枠ブロック用接続金具で岸壁と残置型枠ブロックを接続する工程において、それぞれ岸壁及び残置型枠ブロックに取り付けた第一回転体と第二回転体を示す平面図であり、図５Ｂは、図５Ａにさらにターンバックルを含めて示した平面図である。
【図６】図６Ａは、残置型枠ブロック用接続金具で岸壁及び残置型枠ブロックを接続した状態を示す平面図であり、図６Ｂは、図６Ａの側面図である。
【図７】調整後の残置型枠ブロック用接続金具を説明する斜視図である。
【図８】本発明の別の残置型枠ブロック用接続金具の斜視図である。
【図９】図９Ａは従来の岸壁の補修の作業工程を示す説明図であり、図９Ｂは、従来の岸壁の補修の作業工程を示す説明図であり、図９Ｃは、従来の岸壁の補修の作業工程を示す説明図である。
【図１０】図１０Ａは、従来の岸壁の補修の作業工程を示す説明図であり、図１０Ｂは、従来の岸壁の補修の作業工程を示す説明図であり、図１０Ｃは、従来の岸壁の補修の作業工程を示す説明図である。
【発明を実施するための形態】
【００１４】
本発明の残置型枠ブロック用接続金具の第一の実施形態について、図面を参照して説明する。
本実施形態の残置型枠ブロック用接続金具は、海岸河岸既存施設、例えば破損した岸壁の前方に、コンクリート製の残置型枠ブロックを設置し積み上げて新たな岸壁を構築する際に、破損したコンクリート製の岸壁とその前方に設置する残置型枠ブロックとを所定の間隔を空けて接続する接続金具である。
【００１５】
図１は、本実施形態の残置型枠ブロック用接続金具１の斜視図である。
残置型枠ブロック用接続金具１は、図示のように、長さ調整可能な接続部材１０と、第一回転体１１及び第二回転体１２とを有する。ここでは、長さ調整可能な接続部材１０はターンバックルであるとして説明するが、長さが調整可能であれば、必ずしもターンバックルに限らない。
ターンバックル１０は、軸部材１３と、軸部材１３の両側に軸方向に移動自在かつ旋回自在に取り付けた第一部材１４及び第二部材１５を有し、全長が伸縮自在である。第一回転体１１及び第二回転体１２は、それぞれターンバックル１０の一方側及び他方側に取り付けられている。
【００１６】
第一回転体１１は、ターンバックル１０の第一部材１４に回転自在に取り付けた回転部材２５を有し、回転部材２５には、アンカー鉄筋２４が取り付けられている。また、第二回転体１２は、ターンバックル１０の第二部材１５に回転自在に取り付けた回転部材３４を有し、回転部材３４には連結鉄筋３３が取り付けられている。
【００１７】
図２は、残置型枠ブロック用接続金具１のターンバックル１０の斜視図である。
ターンバックル１０は、図示のように、軸部材１３と第一部材１４と第二部材１５から成る。軸部材１３は、軸方向中央部の一方側及び他方側にそれぞれ逆向きのネジを備えたネジ棒であり、ここでは、軸方向中央部を境に、例えば一方側を右ネジにし他方側を左ネジにする。第一部材１４は軸部材１３の一方側のネジに螺合する。第二部材１５は軸部材１３の他方側のネジに螺合する。これにより、第一部材１４及び第二部材１５は、軸部材１３の両側に軸方向に移動自在かつ旋回自在に取り付けられる。
また、軸部材１３には、その軸方向中央部に軸方向と直交する方向に丸棒状の回転用レバー１６が取り付けられている。
【００１８】
第一部材１４は、平らな面のプレート部１７から成る板状である。プレート部１７には、軸部材１３の一方側に螺合する雌ネジが形成された六角パイプ部１８が接合されている。六角パイプ部１８は、その断面の上下中央部においてプレート部１７に溶着や接着などの適宜手段で接合されている。プレート部１７には、その面に直交する方向にボルト挿通孔１９が設けられている。
【００１９】
また、第二部材１５も第一部材１４と同様に、平らな面のプレート部２１から成る板状である。プレート部２１には、軸部材１３の他方側に螺合する雌ネジが形成された六角パイプ部２２が接合されている。六角パイプ部２２は、その断面の上下中央部においてプレート部２１に溶着や接着などの適宜手段で接合されている。プレート部２１には、その面に直交する方向にボルト挿通孔２３が設けられている。
【００２０】
ターンバックル１０は、回転操作手段である回転用レバー１６を用いて軸部材１３を回転させて、第一部材１４と第二部材１５を軸部材の軸方向に移動させることで全長が伸縮し、その長さが微調整される。即ち、軸部材１３を回転方向の一方に回転させることで、軸部材１３に螺合する第一部材１４と第二部材１５が互いに近づき、ターンバックル１０の全長が短くなり、軸部材１３を逆方向に回転させることで、軸部材１３に螺合する第一部材１４と第二部材１５が互いに離れ、ターンバックル１０の全長が長くなる。
【００２１】
図３は、残置型枠ブロック用接続金具１の第一回転体１１の斜視図である。
第一回転体１１は、図示のように、その一端側にネジ２６が形成されたアンカー鉄筋２４が螺合する回転部材２５から成る。アンカー鉄筋２４の他端側は破損したコンクリート製の岸壁に予め埋め込んで取り付けられている。
このようにアンカー鉄筋２４を回転部材２５に螺合して取り付けることで、第一回転体１１の回転部材２５は、岸壁に対して旋回可能となる。
【００２２】
アンカー鉄筋２４は、長さの異なる複数のものを用意しておき、破損した岸壁と残置型枠ブロック間の距離に応じて最適な長さのものを選んで、予め岸壁に取付けておく。即ち、岸壁とその前方に設置する残置型枠ブロックとの間隔が広いときは、長いアンカー鉄筋２４を、また、岸壁と残置型枠ブロックとの間隔が狭いときは、短いアンカー鉄筋２４を選択し、予め岸壁に取り付けておく。
【００２３】
回転部材２５は、図示のように、平らな面のプレート部２７から成る板状で、雌ネジが形成された六角パイプ部２８がその断面の上下中央部でプレート部２７に溶着や接着などの適宜手段で接合されている。六角パイプ部２８には、アンカー鉄筋２４のネジ２６が螺合される。プレート部２７には、その面に直交する方向にボルト挿通孔２９が設けられている。
【００２４】
第一回転体１１の回転部材２５は、ターンバックル１０の第一部材１４に対してそれぞれの面同士が回転自在に取り付けられる。即ち、回転部材２５のプレート部２７と、ターンバックル１０の第一部材１４のプレート部１７とを重ね合わせ、それぞれに設けたボルト挿通孔２９，１９に、締結手段ここではボルト３１を挿通する。これにより、第一回転体１１の回転部材２５をターンバックル１０の第一部材１４に対しボルト３１を中心にして回転自在（回転方向は、図中に矢印で示す）にするとともに、ボルト３１にナット３２を締結することで、調整された回転位置（任意の回転位置）で第一回転体１１をターンバックル１０に固定することができる。
【００２５】
第一回転体１１は、長さの異なる複数のアンカー鉄筋２４の中から最適な長さとなるアンカー鉄筋２４を選んで、これを回転部材２５に螺合して取り付けて使用する。これにより、アンカー鉄筋２４の回転部材２５への取り付けを容易にし、作業に手間がかからないようにすることができる。
【００２６】
図４は、残置型枠ブロック用接続金具１の第二回転体１２の斜視図である。
第二回転体１２は、図示のように、連結鉄筋３３が接合された回転部材３４から成る。連結鉄筋３３は、その一端側が回転部材３４に溶着や接着などの適宜手段で接合して取り付けられるとともに、他端側にネジ３５が形成されており、ネジ３５は破損した岸壁の前方に設置した残置型枠ブロックに螺合して取り付けられる。
このように連結鉄筋３３が残置型枠ブロックに螺合して固着することで、第二回転体１２の回転部材３４は、残置型枠ブロックに対して旋回可能となる。
【００２７】
回転部材３４は、図示のように、平らな面のプレート部３６から成る板状で、連結鉄筋３３の一端側がその断面の上下中央部でプレート部３６に溶着や接着などの適宜手段で接合されている。プレート部３６には、その面に直交する方向にボルト挿通孔３７が設けられている。
【００２８】
第二回転体１２の回転部材３４は、ターンバックル１０の第二部材１５に対してそれぞれの面同士が回転自在に取り付けられる。即ち、回転部材３４のプレート部３６と、ターンバックル１０の第二部材１５のプレート部２１とを重ね合わせ、それぞれに設けたボルト挿通孔３７，２３にボルト３１（締結手段）を挿通する。これにより、第二回転体１２の回転部材３４をターンバックル１０の第二部材１５に対しボルト３１を中心にして回転自在（回転方向は、図中に矢印で示す）にするとともに、ボルト３１にナット３２を締結することで、調整された回転位置（任意の回転位置）で第二回転体１２をターンバックル１０に固定することができる。
【００２９】
なお、ここでは、締結手段は、ボルト３１とナット３２であるが、これに限定されず、締結できるものであれば、その他のものでもよい。
また、ターンバックル１０の第一部材１４及び第二部材１５、第一回転体１１の回転部材２５、第二回転体１２の回転部材３４は、本実施形態では、平らな面のプレート部から成る板状であるが、形状はこれに限定されず、例えば、ブロック状でもよい。
【００３０】
また、第一回転体１１のアンカー鉄筋２４は、その一端側にネジ２６が形成されて回転部材２５に螺合して取り付けられるとともに、他端側がコンクリート製の岸壁に埋め込んで取り付けられているが、一端側が回転部材２５に接合して取り付けられるとともに、他端側にネジが形成されてコンクリート製の岸壁に螺合して取り付けられるようにしてもよい。
また、第二回転体１２の連結鉄筋３３は、その一端側が回転部材３４に接合して取り付けられるとともに、他端側にネジ３５が形成されて残置型枠ブロックに螺合して取り付けられるが、一端側にネジが形成されて回転部材３４に螺合して取り付けられるとともに、他端側が残置型枠ブロックに埋め込んで取り付けられるようにしてもよい。
【００３１】
次に、岸壁の補修において、本実施形態の残置型枠ブロック用接続金具を用いて行う岸壁とその前方に設置した残置型枠ブロックとの接続について説明する。
図５Ａは、残置型枠ブロック用接続金具１で岸壁２と残置型枠ブロック３を接続する工程において、それぞれ岸壁２及び残置型枠ブロック３に取り付けた第一回転体１１と第二回転体１２を示す平面図、図５Ｂは、図５Ａにさらにターンバックル１０を含めて示した平面図である。
また、図６Ａは、残置型枠ブロック用接続金具１で岸壁２及び残置型枠ブロック３を接続した状態を示す平面図であり、図６Ｂはその側面図である。
【００３２】
岸壁の補修は、破損した岸壁の前方に残置型枠ブロックを設置し積み上げ、積み上げた残置型枠ブロックと岸壁との間に水中コンクリートを打設して新たな岸壁を構築して行う。このとき、岸壁の前方に積み上げた残置型枠ブロックの倒壊を防止するために、水中コンクリートの打設の前に、予め残置型枠ブロック用接続金具を岸壁と残置型枠ブロックに取り付けて、これらを接続しておく。
【００３３】
次に、残置型枠ブロック用接続金具１を岸壁２と残置型枠ブロック３へ接続する場合を説明する。
まず、第一回転体１１をアンカー鉄筋２４により予め岸壁に取り付けておく。他方、第二回転体１２は、水中へ投入する前の残置型枠ブロック３に連結鉄筋３３を螺合して取り付けておく。つまり、残置型枠ブロック３は、第二回転体１２が取り付けられた状態で水中に投入して設置する。次に、水中においてターンバックル１０で第一回転体１１と第二回転体１２を連結して取り付ける。この場合、岸壁２に取り付けられた第一回転体１１のアンカー鉄筋２４は、第一回転体１１と第二回転体１２とを連結して取り付けできるように予め適合する長さのものが選択されているが、実際には残置型枠ブロック３を水中に投入設置した場合の施工誤差による位置ズレにより、両者が連結して取り付けられない場合が生じる。そこで、本実施形態では、その場合に、残置型枠ブロック用接続金具１のターンバック１０の長さと、水平面内及び水平面内における角度を調整することで、第一回転体１１及び第二回転体１２を連結して取り付ける。
【００３４】
なお、ターンバックル１０での伸縮による長さの調整は微調整であって、岸壁２と残置型枠ブロック３間の距離に応じた残置型枠ブロック用接続金具１全体の長さの調整は、上述のように長さの異なる複数のアンカー鉄筋２４の中から最適な長さのものを選択することによって調整する。
【００３５】
次に、残置型枠ブロック用接続金具１の調整について説明する。まず、岸壁２と残置型枠ブロック３において施工誤差による位置ズレが水平面内で発生した場合を例にとって説明する。なお、図５Ａ、図５Ｂでは、この水平面内で発生した位置ズレを上下方向で示している。なお、図示例は水平面内の位置ズレを示しているが、位置ズレはそれと直交する面内においても生じる。
【００３６】
ここでは、まず水平面内の位置ズレについて説明する。図５Ａは、第一回転体１１を取り付けた岸壁２と第二回転体１２を取り付けて水中に投入設置された残置型枠ブロック３の位置関係を示している。
この状態において、図５Ｂに示すように、ターンバックル１０を用意する。このターンバックル１０を岸壁２に取り付けた第一回転体１１と残置型枠ブロック３に取り付けた第二回転体１２とにわたって取り付ける。即ち、第一回転体１１の回転部材２５とターンバックル１０の第一部材１４とを重ね合わせて、それぞれに設けたボルト挿通孔２９，１９にボルト３１を挿通して、ターンバックル１０に第一回転体１１を回転自在に取り付ける。また、第二回転体１２の回転部材３４とターンバックル１０の第二部材１５とを重ね合わせて、それぞれに設けたボルト挿通孔３７，２３にボルト３１を挿通して、ターンバックル１０に第二回転体１２を回転自在に取り付ける。
【００３７】
ここで、ターンバックル１０を第一回転体１１と第二回転体１２に取り付けるため、予め第一回転体１１の回転部材２５とターンバックル１０の第一部材１４に設けたボルト挿通孔２９，１９、及び第二回転体１２の回転部材３４とターンバックル１０の第二部材１５に設けたボルト挿通孔３７，２３の位置が一致するよう、ターンバックル１０の長さを調整しておく。
【００３８】
具体的には、回転用レバー１６を用いて軸部材１３を回転してターンバックル１０の第一部材１４と第二部材１５が互いに近づいたり離れたりすることで、その全長を伸縮させて長さを微調整する。
それとともに、ターンバックル１０と第一回転体１１について、第一回転体１１を、ターンバックル１０に対してボルト挿通孔１９，２９に挿通したボルト３１を中心にして調整された回転位置（任意の回転位置）になるように、ターンバックル１０と第一回転体１１の回転角度を調整する。
また、ターンバックル１０と第二回転体１２についても、第二回転体１２を、ターンバックル１０に対してボルト挿通孔２３，３７に挿通したボルト３１を中心にして調整された回転位置（任意の回転位置）になるように、ターンバックル１０と第二回転体１２の回転角度を調整する。
【００３９】
このようにして残置型枠ブロック用接続金具１の調整を行った後、図６Ａ、図６Ｂに示すように、第一回転体１１の回転部材２５とターンバックル１０の第一部材１４に挿通したボルト３１をナット３２で締結し、第一回転体１１をターンバックル１０に調整された回転位置で固定する。同様に、第二回転体１２の回転部材３４とターンバックル１０の第二部材１５に挿通したボルト３１をナット３２で締結し、第二回転体１２をターンバックル１０に調整された回転位置で固定する。
これにより、残置型枠ブロック用接続金具１を岸壁２と残置型枠ブロック３に取り付けて、岸壁２と残置型枠ブロック３を接続することができる。
【００４０】
次に、岸壁２と残置型枠ブロック３において施工誤差による位置ズレが水平面内だけでなく垂直面内にも発生した場合（即ち、斜め方向に発生した場合）の残置型枠ブロック用接続金具１の岸壁２及び残置型枠ブロック３への取り付けをより詳細に説明する。
基本的には、施工誤差による位置ズレが水平面内で発生した場合と同じであるが、ターンバックル１０の第一部材１４及び第二部材１５での旋回、第一回転体１１の回転部材２５での旋回、第二回転体１２の回転部材３４での旋回を行うことで、それぞれの旋回角度を調整する。
【００４１】
具体的には、岸壁２に第一回転体１１に取り付けたアンカー鉄筋２４を埋め込んで取り付けた後、第一回転体１１の回転部材２５をアンカー鉄筋２４を中心に旋回させて、回転部材２５の向きを位置ズレしている斜めの方向と同じ方向にする（第一回転体１１の旋回角度を調整する）。それとともに、第二回転体１２の連結鉄筋３３を残置型枠ブロック３に螺合して取り付け、第二回転体１２の回転部材３４を残置型枠ブロック３に対して連結鉄筋３３とともにも旋回させて、回転部材２５の向きを位置ズレしている斜めの方向と同じ方向にする（第二回転体１２の旋回角度を調整する）。
【００４２】
次に、岸壁２に取り付けた第一回転体１１と残置型枠ブロック３に取り付けた第二回転体１２にターンバックル１０を取り付ける。このとき、ターンバックル１０では、その長さを調整しておくとともに、第一部材１４及び第二部材１５を旋回させて、第一部材１４及び第二部材１５の向きを位置ズレしている斜めの方向と同じ方向にする（ターンバックル１０の第一部材１４及び第二部材１５の旋回角度を調整する）。
即ち、ターンバックル１０の第一部材１４及び第二部材１５、第一回転体１１の回転部材２５、第二回転体１２の回転部材３４の向きが、すべて一致するよう、それぞれの旋回角度を調整する。
【００４３】
このようにして残置型枠ブロック用接続金具１の調整を行った後、第一回転体１１をターンバックル１０に調整された回転位置（任意の回転位置）で固定するとともに、第二回転体１２をターンバックル１０に調整された回転位置（任意の回転位置）で固定する。固定は、上述の水平面内の位置ズレの場合と同様に、ボルト３１をナット３２で締結して行う。
これにより、岸壁２と残置型枠ブロック３において施工誤差による位置ズレが斜め方向に発生した場合でも、残置型枠ブロック用接続金具１を岸壁２と残置型枠ブロック３に取り付けて、これらを接続することができる。
【００４４】
図７は、調整後の残置型枠ブロック用接続金具を説明する斜視図である。
残置型枠ブロック用接続金具１は、図示のように、岸壁２に付けるアンカー鉄筋２４と残置型枠ブロック３に付ける連結鉄筋３３の位置及び方向に合わせて、残置型枠ブロック用接続金具１の位置（長さの微調整を含む）、方向、回転角度及び旋回角度を調整することにより、岸壁２とその前方に設置する残置型枠ブロック３での様々な状況（岸壁２と残置型枠ブロック３の間の距離及び位置ズレ）に対応させて、岸壁２と残置型枠ブロック３を接続することができる。
【００４５】
以上説明したように、本実施形態の残置型枠ブロック用接続金具１によれば、岸壁２の補修において、岸壁２とその前方に設置した残置型枠ブロック３とを接続する際に、岸壁２と残置型枠ブロック３において施工誤差による位置ズレが発生しても、ターンバックル１０の長さの調整、ターンバックル１０と第一回転体１１及び第二回転体１２との回転角度の調整、ターンバックル１０の第一部材１４及び第二部材１５の旋回角度の調整、第一回転体１１及び第二回転体１２の旋回角度の調整を行うことで、残置型枠ブロック用接続金具１により、岸壁２と残置型枠ブロック３を確実に接続することができる。
【００４６】
また、残置型枠ブロック用接続金具１により岸壁２と残置型枠ブロック３とを接続した後、締結手段（ボルト３１とナット３２）で、ターンバックル１０に第一回転体１１と第二回転体１２をそれぞれ固定することで、岸壁２と残置型枠ブロック３を強固に連結することができる。
このように、本実施形態によれば、従来のような溶接による作業をなくすことで、その作業性の向上を図ることができる。しかも、これらの作業を水中で行っても、作業が簡単であるから、容易に行うことができ、作業時間の短縮を図ることができる。
【００４７】
次に、本発明の残置型枠ブロック用接続金具の第二の実施形態について説明する。
図８は、第二の実施形態の残置型枠ブロック用接続金具の斜視図である。
残置型枠ブロック用接続金具１は、前述の実施形態の残置型枠ブロック用接続金具１と基本的な構成は同じであるが、図示のように、ターンバックル１０の第一部材１４及び第二部材１５と六角パイプ部１８，２２の接合、第一回転体１１の回転部材２５と六角パイプ部２８の接合、第二回転体１２の回転部材３４と連結鉄筋３３の接合において異なるので、ここについてのみ説明する。なお、符号は、前述の実施形態で説明したのと同じである。
【００４８】
ターンバックル１０は、第一部材１４のプレート部１７の上面に六角パイプ部１８の下端部が溶着や接着などの適宜手段、例えば溶接又は接着剤により接合されるとともに、第二部材１５のプレート部２１の上面に六角パイプ部２２の下端部が、例えば溶接又は接着剤により接合されている。また、第一回転体１１は、回転部材２５のプレート部２７の上面に六角パイプ部２８の下端部が、例えば溶接又は接着剤により接合されている。また、第二回転体１２は、回転部材３４のプレート部３６の上面に連結鉄筋３３の下端部が、例えば溶接又は接着剤により接合されている。
【００４９】
このように、ターンバックル１０の第一部材１４及び第二部材１５と六角パイプ部１８，２２の接合、第一回転体１１の回転部材２５と六角パイプ部２８の接合、第二回転体１２の回転部材３４と連結鉄筋３３の接合が、第一の実施形態におけるようにそれぞれ六角パイプ部の断面の上下中央部ではなく、六角パイプ部の下端部において溶接又は接着剤で行うことで、これらの部品を極めて容易に製作することができ、これにより、残置型枠ブロック用接続金具１を安価なものにすることができる。
なお、第二の実施形態においても、第一の実施形態と同様に、岸壁２と残置型枠ブロック３の間の距離及び位置ズレに対して容易に対応して、両者を強固に連結することができる。
【符号の説明】
【００５０】
１…残置型枠ブロック用接続金具、２…岸壁、３…残置型枠ブロック、４…下穴、５…ネジ穴、１０…ターンバックル、１１…第一回転体、１２…第二回転体、１３…軸部材、１４…第一部材、１５…第二部材、１６…回転用レバー、１７…プレート部、１８…六角パイプ部、１９…ボルト挿通孔、２１…プレート部、２２…六角パイプ部、２３…ボルト挿通孔、２４…アンカー鉄筋、２５…回転部材、２６…ネジ、２７…プレート部、２８…六角パイプ部、２９…ボルト挿通孔、３１…ボルト、３２…ナット、３３…連結鉄筋、３４…回転部材、３５…ネジ、３６…プレート部、３７…ボルト挿通孔、５１…アンカー鉄筋、５２…連結鉄筋、５３…水中コンクリート、５４…上部工。
【図１】
2019049120.tif 000003
【図２】
2019049120.tif 000004
【図３】
2019049120.tif 000005
【図４】
2019049120.tif 000006
【図５】
2019049120.tif 000007
【図６】
2019049120.tif 000008
【図７】
2019049120.tif 000009
【図８】
2019049120.tif 000010
【図９】
2019049120.tif 000011
【図１０】
2019049120.tif 000012